(57)【要約】【課題】  フイルム給送を確実に行うことを可能とし、かつカメラボディのコンパクト化を図る。【解決手段】  カメラ２は、パトローネ装填蓋２、カメラボディ３とからなる。パトローネ装填蓋２には、爪部材５０、付勢バネ５１、フイルム圧板４９が取り付けられている。爪部材５０は、スライドレール部５４、当接部５５、係止爪５６が形成されている。係止爪５６は、フイルム１０のパーフォレーションを係止めする。当接部５５は、初期送り駆動伝達ギア４２の突起部７７に当接しており、初期送り駆動伝達ギア４２が一回転する毎に一回の押圧を受ける。付勢バネ５１は、爪部材５０を初期位置に復帰させるように付勢する。パトローネ装填蓋２が閉じられると、モータ６０からの駆動により初期送り駆動伝達ギア４２が回転して爪部材５０が往復移動し、フイルム給送を行う。【選択図】        図２
2005221779.tif 000002
【特許請求の範囲】
【請求項１】
フイルムパトローネが装填されるパトローネ装填室、前記フイルムパトローネから引き出された写真フイルムが巻き取られるフイルム巻き取り室、これらの間に位置するレンズ鏡筒、このレンズ鏡筒の背面側に位置するフイルム給送路、及び駆動源となるモータを備えたカメラ本体と、前記カメラ本体に対して開閉自在に取り付けられた装填蓋とからなるカメラにおいて、
前記写真フイルムのパーフォレーションと係合し、初期位置、及びこの初期位置から所定間隔離れた末端位置との間でスライド自在となるように前記装填蓋に取り付けられた爪部材と、この爪部材を初期位置に復帰させる付勢部材と、前記カメラ本体に設けられ、前記レンズ鏡筒と前記フイルム巻き取り室との間、又は前記レンズ鏡筒と前記パトローネ装填室との間に位置し、前記モータからの駆動が伝達されることにより所定の時間間隔毎に前記爪部材を押圧して初期位置から末端位置に移動させる駆動伝達部とを備え、前記パトローネの装填時に、前記駆動伝達部にモータからの回転駆動が伝達されて前記爪部材が前記初期位置と前記末端位置との間で往復移動することにより前記写真フイルムの給送を行うことを特徴とするカメラ。
【請求項２】
前記爪部材は、前記装填蓋に対してスライド自在に嵌合するスライドレール部と、このスライドレール部からカメラ本体側に突出し、前記装填蓋が閉じ位置にあるときに前記駆動伝達部に当接する位置に形成された当接部と、前記パーフォレーションと係合する係止面、及び前記写真フイルムと摺接して押圧を受ける被押圧面が形成された係止爪と、この係止爪とスライドレール部との間を連結し、かつ係止爪が写真フイルムから離れるようにスライドレール部に対して撓みを持つように形成された連結部とからなり、この爪部材が前記初期位置から末端位置に移動するときには、前記係止面が前記パーフォーレーションに係合してフイルム送りし、爪部材が前記末端位置から初期位置に復帰するときには、前記被押圧面が前記写真フイルムからの押圧を受けて係止爪が退避することを特徴とする請求項１記載のカメラ。
【請求項３】
前記駆動伝達部は、前記モータの駆動により回転し、周縁部に前記爪部材と当接する突起部が一体に形成された駆動伝達ギアからなり、この駆動伝達ギアが一回転する毎に前記爪部材を前記突起部が一回押圧することを特徴とする請求項１、又は２記載のカメラ。
【発明の詳細な説明】
【技術分野】
【０００１】
本発明は、カメラに関するものであり、フイルム給送路に沿ってフイルムの給送を行うフイルム給送機構を備えたカメラに関するものである。
【背景技術】
【０００２】
従来より、フイルム自動装填型のカメラが知られている。この自動装填型のカメラでは、装填蓋が閉じ位置にされたとき、初期送り機構が作動して、パトローネ内からフイルム巻き取り室へと写真フイルムを送り込む。このような初期送り機構としては、パーフォレーションに係合する送り歯が形成されたスプロケットをフイルム送り出し方向に合わせて回転させるものや、往復移動する爪部材にパーフォレーションを係止させてフイルムを送り込むものなどが一般的である。そして、初期送りされたフイルムがフイルム巻き取り室に到達すると、フイルム巻き取り室内では、巻き取り軸が回転しており、フイルムの先端部が送り込まれてくると、巻き取り軸に設けてある爪にパーフォレーションが係止され、巻き取り軸にフイルムが巻き付けられる。
【０００３】
【特許文献１】実開平３−６６３４号公報
【発明の開示】
【発明が解決しようとする課題】
【０００４】
しかしながら、上述したようなフイルム給送機構を組み込んだ場合、スプロケット、又は爪部材が、レンズ鏡筒の付近に組み込まれることから、部品配置の効率を低下させ、カメラのコンパクト化を損ねてしまう。すなわち、スプロケット又は爪部材がレンズ鏡筒とパトローネ室との間に組み込まれるとレンズ鏡筒とパトローネ室との間の距離が長くなり、カメラの横幅が長くなる。またパトローネ室やフイルム巻き取り室との干渉を避けて、スプロケット又はクロー部材をレンズ鏡筒の後方部に配置すると、カメラ本体の厚みが増加してしまう。
【０００５】
本発明は上記問題点を考慮してなされたものであり、フイルム給送路からフイルム巻き取り室へのフイルム給送を確実に行うことが可能であり、かつ部品配置の効率を向上させカメラボディのコンパクト化を図ることが可能なカメラを提供することを目的とする。
【課題を解決するための手段】
【０００６】
上記目的を達成するために、本発明のカメラでは、フイルムパトローネが装填されるパトローネ装填室、前記フイルムパトローネから引き出された写真フイルムが巻き取られるフイルム巻き取り室、これらの間に位置するレンズ鏡筒、このレンズ鏡筒の背面側に位置するフイルム給送路、及び駆動源となるモータを備えたカメラ本体と、前記カメラ本体に対して開閉自在に取り付けられた装填蓋とからなるカメラにおいて、前記写真フイルムのパーフォレーションと係合し、初期位置、及びこの初期位置から所定間隔離れた末端位置との間でスライド自在となるように前記装填蓋に取り付けられた爪部材と、この爪部材を初期位置に復帰させる付勢部材と、前記カメラ本体に設けられ、前記レンズ鏡筒と前記フイルム巻き取り室との間、又は前記レンズ鏡筒と前記パトローネ装填室との間に位置し、前記モータからの駆動が伝達されることにより所定の時間間隔毎に前記爪部材を押圧して初期位置から末端位置に移動させる駆動伝達部とを備え、前記パトローネの装填時に、前記駆動伝達部にモータからの回転駆動が伝達されて前記爪部材が初期位置と末端位置との間の往復移動することにより前記写真フイルムの給送を行っている。
【０００７】
なお、前記爪部材は、前記装填蓋に対してスライド自在に嵌合するスライドレール部と、このスライドレール部からカメラ本体側に突出し、前記装填蓋が閉じ位置にあるときに前記駆動伝達部に当接する位置に形成された当接部と、前記パーフォレーションと係合する係止面、及び前記写真フイルムと摺接して押圧を受ける被押圧面が形成された係止爪と、この係止爪とスライドレール部との間を連結し、かつ係止爪が写真フイルムから離れるようにスライドレール部に対して撓みを持つように形成された連結部とからなり、この爪部材が前記初期位置から末端位置に移動するときには、前記係止面が前記パーフォーレーションに係合してフイルム送りし、爪部材が前記末端位置から初期位置に復帰するときには、前記被押圧面が前記写真フイルムからの押圧を受けて係止爪が退避することが好ましい。
【０００８】
さらに、前記駆動伝達部は、前記モータの駆動により回転し、周縁部に前記爪部材と当接する突起部が一体に形成された駆動伝達ギアからなり、この駆動伝達ギアが一回転する毎に前記爪部材を前記突起部が一回押圧することも効果的である。
【発明の効果】
【０００９】
本発明のカメラによれば、写真フイルムのパーフォレーションと係合し、初期位置、及びこの初期位置から所定間隔離れた末端位置との間でスライド自在となるように装填蓋に取り付けられた爪部材と、この爪部材を初期位置に復帰させる付勢部材と、カメラ本体に設けられ、レンズ鏡筒とフイルム巻き取り室との間、又はレンズ鏡筒とパトローネ装填室との間に位置し、モータからの駆動が伝達されることにより所定の時間間隔毎に爪部材を押圧して初期位置から末端位置に移動させる駆動伝達部とを備え、パトローネの装填時に、駆動伝達部にモータからの回転駆動が伝達されて爪部材が初期位置と末端位置との間で往復移動することにより前記写真フイルムの給送を行っているので、カメラボディのコンパクト化を図ることが可能であり、且つ確実に写真フイルムの給送を行うことができる。
【発明を実施するための最良の形態】
【００１０】
図１は、本発明を実施したカメラ１のパトローネ装填蓋２を開いた状態を示す外観斜視図である。本実施形態のカメラ１は、カメラボディ３と、このカメラボディ３に対して開閉自在に取り付けられたパトローネ装填蓋２とを備えている。なお、図１においては、パトローネ７を装填するときの状態を示しやすいように、カメラ１を背面側から見た図としている。
【００１１】
パトローネ７は、パトローネ本体８と、その中に回転自在に収納されるスプール９と、このスプール９に巻きつけられた写真フイルム（以下、単にフイルムと称する。）１０とからなる。なお、このパトローネ７は、製品状態のパッケージ（図示せず）から取り出されたときに、パトローネ本体８の側面に形成されたスリット状の開口部８ａからフイルム１０の一部が引き出された状態となっている。
【００１２】
カメラボディ３の前面には、撮影レンズを保持したレンズ鏡筒１３、対物側ファインダレンズ（図示せず）などが設けられ、上面には、シャッタボタン１４が、また、カメラボディ３の側面には、装填蓋開放スイッチ１５が、背面上方部には接眼側ファインダレンズ１６などが設けられている。
【００１３】
カメラボディ３は、図２、図３及び図４に示すように、本体基部１９と、この本体基部１９を覆う前カバー２０及び後カバー２１からなる。前カバー２０は、本体基部１９の前面側に取り付けられ、後カバー２１は、本体基部１９の背面側に取り付けられている。
【００１４】
本体基部１９には、露光機構、ストロボ機構、及びフイルム給送機構２２（図６参照）などの各種撮影機構と、電源となる電池２３とが組み込まれている。本体基部１９の中央部には、フイルム１０への露光範囲を規定するアパーチャ２４が設けられ、さらにアパーチャ２４を挟んで、一方の側方部にはパトローネ７が装填されるパトローネ装填室２６が、他方の側方部にはパトローネ７から引き出されたフイルム１０を巻き取るフイルム巻き取り室２７とが設けられている。
【００１５】
パトローネ装填室２６は、図２に示すように、軸方向がカメラ１の上下方向と平行に配置されており、パトローネ７の外周形状に合わせて略円筒形状に形成されたパトローネ挿入部２６ａと、これに連続するスリット状のフイルム挿入部２６ｂとからなり、かつ上面が塞がれ、下面が開放されるように形成されている。このパトローネ装填室２６には、上面にはスプール駆動軸３０が設けられている。
【００１６】
スプール駆動軸３０は、図４に示すように、軸方向がパトローネ装填室２６と同軸上に配置されており、軸方向に沿ってスライド自在に取り付けられたパトフォーク３１と、このパトフォーク３１を下方部に向かって付勢するコイルバネ３２が設けられている。パトローネ装填室２６にパトローネ７が装填されたとき、パトローネ７のスプール９がパトフォーク３１に係合する。さらに、スプール駆動軸３０の上端には、ギア３０ａが一体形成されている。
【００１７】
フイルム巻き取り室２７の内部には、フイルム巻き取り軸３４が設けられている。このフイルム巻き取り軸３４は、その周囲にフイルム１０のパーフォレーション１０ａと係合する突起３４ａが形成されており、その上端及び下端には、ギア３４ｂ，３４ｃが一体形成されている。
【００１８】
この本体基部１９の背面側には、詳しくは図４に示すように、アパーチャ２４をほぼ中央の位置に挟んで、フイルム１０の側端縁をガイドする一対の凸条３８ａ，３８ｂが上下に設けられ、また凸条３８ａ，３８ｂとアパーチャ２４との間にはフイルム１０の前面に接するフイルムレール３９ａ，３９ｂが設けられている。これら、凸条３８ａ，３８ｂ及びフイルムレール３９ａ，３９ｂによってフイルム給送路４０が構成され、このフイルム給送路４０に沿ってフイルム１０が移送される。上方部の凸条３８ａとフイルムレール３９ａとの間には、開口４１が形成されており、この開口４１の奥には、後述する初期送り駆動伝達ギア４２が組み込まれている。
【００１９】
フイルム装填蓋２は、図５に示すように、本体基部１９の背面を覆う背面部４５と、底面の一部を覆う底面部４６と、ヒンジ部４７とが一体に形成されている。ヒンジ部４７は、背面部４５の一方の側端部に設けられており、このヒンジ部４７を介してカメラボディ３に対して回転自在に軸支される。
【００２０】
このフイルム装填蓋２の背面部には、フイルム圧板４９、爪部材５０、付勢バネ５１、及びフイルム押えバネ５２が設けられている。フイルム圧板４９は、背面部４５の前面中央部、かつアパーチャ２４と対面する位置にネジ止めなどによって固定されており、フイルム１０を背面側から支持する。
【００２１】
爪部材５０は、詳しくは図６及び図７に示すように、フイルム圧板４９の背面上方部に設けられており、スライドレール部５４、当接部５５、係止爪５６、及び連結部５７からなる。スライドレール部５４は、水平方向に沿って延びる長矩形の薄板形状であり、その上下端部が、フイルム圧板４９の背面側に形成されたレール溝５３ａ，５３ｂに嵌合する。これによって、爪部材５０は、フイルム装填蓋２に対してフイルム給送方向に沿ってスライド自在に取り付けられる。当接部５５は、スライドレール部５４の上方部からフイルム圧板４９側へ向かって突出するように一体に形成されている。
【００２２】
係止爪５６は、スライドレール部５４からフイルム圧板４９側へ向かって突出する。さらに、この係止爪５６は、その一端側に、スライドレール部５４のスライド方向に対して直交するように形成された係止面５６ａと、この係止面５６ａの反対側に位置し、スライドレール部５４のスライド方向に斜交する被押圧面５６ｂとが形成されている。
【００２３】
さらに、連結部５７は、その一端部からスライドレール部５４が連続し、他端部から係止爪５６が連続して、両者を連結するように形成されている。この連結部５７は、係止爪５６から押圧力を受けたときに撓むように、薄板形状に形成されている。
【００２４】
当接部５５、及び係止爪５６は、爪部材５０がフイルム圧板４９に取り付けられたとき、フイルム圧板４９に形成された切り欠き部５８、及び開口部５９をそれぞれ通って、フイルム圧板４９の前面側に突出する。切り欠き部５８は、フイルム圧板４９の上方部に形成され、当接部５５の移動を妨げないように形成されている。そして、開口部５９は、爪部材５０をフイルム圧板４９に対してスライドさせたとき、その一端部５９ａに係止爪５６の係止面５６ａが当接し、また他端部５９ｂに係止爪５６の被押圧面５６ｂとが当接するように形成されている。これによって、爪部材５０はフイルム圧板４９に対するスライド量が規制されており、初期位置と、この初期位置から所定間隔離れた末端位置との間で移動自在となっている。
【００２５】
付勢バネ５１は、例えばコイルばねを使用し、スライドレール部５４の一端部に形成された突起部５４ａと、フイルム圧板４９に一体に設けられた突起部４９ａにそれぞれ掛けられており、スライドレール部５４を初期位置側から末端位置側に向かって付勢する。
【００２６】
フイルム給送機構２２は、スプール駆動軸３０、フイルム巻き取り軸３４、モータ６０、モータ駆動伝達ギア列６１、巻き取り軸駆動伝達ギア６２、初期送り切替クラッチ６３、初期送り駆動伝達ギア４２、巻き戻し切替クラッチ６５、スプール駆動伝達部６６、上述した爪部材５０、及び付勢バネ５１とからなる。そして、これらのうち、爪部材５０及び付勢バネ５１を除く部品は、カメラボディ３の内部に組み込まれている。フイルム巻き取り軸３４の内部にはモータ６０が内蔵されている。モータ６０の駆動軸６０ａの先端には、ピニオンギア６９が固着されている。
【００２７】
モータ駆動伝達ギア列６１は、互いに噛合された駆動ギア６１ａ〜ｄからなる。一端側の駆動ギア６１ａには、モータ６０のピニオンギア６９が噛合している。他方側の駆動ギア６１ｄには、巻き戻し切替クラッチ６５の太陽ギア７１が接続されている。巻き取り軸駆動伝達ギア６２は、フイルム巻き取り軸３４のギア３４ｃと噛合するとともに、巻き戻し切替クラッチ６５の遊星ギア７２と噛合し、モータ６０からの駆動をフイルム巻き取り軸３４に伝達してフイルム巻き取り軸３４を回転させる。
【００２８】
スプール駆動伝達部６６は、互いに噛合された駆動ギア６６ａ〜ｆからなる。なお、駆動ギア６６ｄ，６６ｅの間には連結軸６６ｇが一体に設けられている。このスプール駆動伝達部６６の一端側の駆動ギア６６ａは、巻き戻し切替クラッチ６５の遊星ギア７２の付近に位置し、他端側の駆動ギア６６ｆはスプール駆動軸３０のギア３０ａに噛合する。
【００２９】
巻き戻し切替クラッチ６５は、周知の遊星ギアクラッチであり、太陽ギア７１と、遊星ギア７２と、クラッチ板７３とから構成される。クラッチ板７３には、太陽ギア７１及び遊星ギア７２が軸支される。さらに、このクラッチ板７３は、本体基部１９に軸支され、太陽ギア７１の中心と同軸に回転する。このため、巻き戻し切替クラッチ６５は、巻き取り駆動位置（実線で示す位置）と巻戻し駆動位置（２点鎖線で示す位置）との間で移動することができる。
【００３０】
遊星ギア７２が巻き取り駆動位置にあるときには、巻き取り軸駆動伝達ギア６２と噛合しており、モータ駆動伝達ギア列６１からの回転駆動が遊星ギア７２を介してフイルム巻き取り軸３４に伝達されてフイルム巻き取り軸３４を回転させる。また、この巻き取り駆動位置にあるとき、遊星ギア７２は、スプール駆動伝達部６６の駆動ギア６６ａと噛み合っておらず、スプール駆動伝達部６６には、モータ６０からの駆動が伝達されず、スプール駆動軸３０は停止したままである。そして、遊星ギア７２が巻戻し駆動位置にあるときには、スプール駆動伝達部６６の駆動ギア６６ａと噛合し、遊星ギア７２からスプール駆動伝達部６６を介してスプール駆動軸３０に回転駆動が伝達され、パトローネ４のスプール６は回転駆動を受けて巻戻し方向（矢印ｂ方向）に回動する。
【００３１】
一方、フイルム巻き取り軸３４の上方部には、初期送り切替クラッチ６３、初期送り駆動伝達ギア４２が設けられている。初期送り切替クラッチ６３は、周知の遊星ギアクラッチであり、フイルム巻き取り軸３４と一体に形成されたギア３４ｂと、遊星ギア７５と、クラッチ板７６とから構成される。クラッチ板７６には、遊星ギア７５が軸支される。太陽ギアとしてのギア３４ｂと遊星ギア７５とは互いに噛み合うように設けられており、遊星ギア７５は、フイルム巻き取り軸３４からの駆動により回転する。さらに、クラッチ板７６は、本体基部１９に軸支され、ギア３４ｂの中心と同軸に回転する。このため、初期送り切替クラッチ６３は、初期送り駆動位置（実線で示す位置）と退避位置（２点鎖線で示す位置）との間で移動することができる。
【００３２】
遊星ギア７５が退避位置にあるときには、初期送り駆動伝達ギア４２と噛み合っておらず、初期送り駆動伝達ギア４２は停止したままである。そして、遊星ギア７５が初期送り駆動位置にあるときには、初期送り駆動伝達ギア４２と噛合し、遊星ギア７５から初期送り駆動伝達ギア４２に回転駆動が伝達され、初期送り駆動伝達ギア４２は初期送り方向（矢印ａ方向）に回動する。
【００３３】
初期送り駆動伝達ギア４２は、上述した開口４１の奥に位置しており、下面の周縁部付近には、下方へ突出する突起部７７が一体に形成されている。突起部７７は、上述した爪部材５０の当接部５５と当接する。これによって、所定の時間間隔毎、すなわち初期送り駆動伝達ギアが一回転する毎に、突起部７７が当接部５５を一回押圧して爪部材５０が初期位置から末端位置に移動する。
【００３４】
モータ６０が正転方向（矢印Ａ方向）に回転した場合、遊星ギア７２が巻き取り駆動位置にあり、回転駆動が伝達されたフイルム巻き取り軸３４がフイルム巻き取り方向（矢印ａ方向）に回転し、且つこのフイルム巻き取り軸３４からの回転駆動が伝達された遊星ギア７５が初期送り位置に移動し、初期送り駆動伝達ギア４２を回転させる。
【００３５】
そしてモータ６０が逆転方向（矢印Ｂ方向）に回転した場合、遊星ギア７２が巻き戻し駆動位置に切り替わり、回転駆動が伝達されたスプール駆動軸３０がフイルム１０を巻戻す方向に回転する。このように、モータ６０の回転を切り替えることによって、巻上げ、巻戻し動作を切り替えることができる構成としている。
【００３６】
以下、上記構成による作用を図９を用いて説明する。使用者が、パトローネ装填室２６へのパトローネ７の装填を行うときには、フイルム装填蓋２をカメラボディ３に対して開放状態とし、フイルム１０の一部がパトローネ本体８から引き出された状態で、開口部からフイルム装填室２６へ、パトローネ７を軸方向に沿って落とし込む。
【００３７】
そして、パトローネ装填蓋２が閉じ状態であることを検出したカメラ１の制御部は、モータ６０を正転方向（矢印Ａ方向）に回転し始める。モータ６０が正転方向に回転すると、その回転駆動が、巻き戻し切替クラッチ６５に伝達され、遊星ギア７２は巻き取り駆動位置に移動して巻き取り軸駆動伝達ギア６２と噛み合い、フイルム巻き取り軸３４を回転させる。これにより、遊星ギア７５が初期送り位置に移動する。このため、スプール駆動軸３０は停止した状態であるとともに、初期送り駆動伝達ギア４２が回転し、突起部７７が当接部５５を押圧する。突起部７７から押圧を受けた当接部５５は、図９（Ｂ）に示すように係止爪５６の係止面５６ａがパーフォレーション１０ａを係止しながら、初期位置から末端位置に移動する。これによって、写真フイルム１０は隣接するパーフォレーション１０ａ同士の間隔Ｄの分だけフイルム送り方向に移動される。
【００３８】
そして、さらに初期送り駆動伝達ギア４２が回転して、突起部７７が当接部５５から離れる。これによって、爪部材５０は、初期送り駆動伝達ギア４２からの押圧から開放されるので、付勢バネ５１からの付勢を受けて末端位置から初期位置に復帰する。このとき、係止爪５６は、図９（Ｃ）に示すように、被押圧面５６ｂがフイルム１０と摺接して押圧を受けるので、連結部５７が撓んで係止爪５６がフイルム圧板４９の奥側に移動する。これによって、係止爪５６によるフイルム１０の係止が解除される。
【００３９】
そして、初期位置に復帰した爪部材５０は、次のパーフォレーション１０ａに係止爪５６が挿入される。以降は、初期送り駆動伝達ギア４２が一回転する毎に再び初期位置から末端位置へと移動し、間隔Ｄの分だけ写真フイルム１０を移動させるようにしてフイルム送りを繰り返す。このようにして、爪部材５０が初期位置と末端位置との間を往復移動することによって確実な動作でフイルム送りが行われる、そして、モータ６０を所定時間回転させることにより、フイルム１０は、その先端部がフイルム巻き取り室２７に送り込まれ、フイルム巻き取り軸３４にフイルム１０が巻き取られる。
【００４０】
フイルム１０を巻き戻すときには、モータ６０の回転はスプール駆動軸３０に伝達されてスプール駆動軸３０がフイルム１０を巻き戻す。このフイルム１０の移動にスプール３４が従動して逆の方向に回転して遊星ギア７５が退避位置に移動し、初期送り駆動伝達ギア４２は回転フリー状態となる。そして、爪部材５０は、付勢バネ５１の付勢によって初期位置に復帰する。このとき、開口部５９の他端部５９ｂに係止爪５６の被押圧面５６ｂが当接するので、係止爪５６はフイルム１０に面する側に突出しない。これによってパーフォレーション１０ａと係止爪５６が引っ掛かることがなく、スムーズにフイルム１０が巻き戻される。
【００４１】
上記のような構成としたことで、フイルム１０の初期送りを確実に行うことが可能となり、かつカメラ１の部品配置の効率を向上し、コンパクト化を図ることができる。すなわち、爪部材５０のほぼ全体（当接部５５、係止部５６を除く部分）を薄板形状に形成して、パトローネ装填蓋２に組み込み、さらに初期送り駆動伝達ギア４２をレンズ鏡筒１３とフイルム巻き取り室２７との間に位置するように設けているので、カメラボディ３の幅方向の寸法Ｌ、及び前後方向の厚み寸法Ｔを小さくすることが可能となっている。もし、上述したような爪部材５０や初期送り駆動伝達ギア４２から構成されるフイルム初期送り機構ではなく、従来のスプロケットや、爪部材からなる従来のフイルム初期送り機構をカメラボディ３に組み込むと部品の組み込みスペースがより必要となるため、レンズ鏡筒１３とフイルム巻き取り室２７との間の間隔を広く取る必要があり、幅方向の寸法Ｌが増加してしまったり、あるいは、レンズ鏡筒１３の後方部に従来のフイルム初期送り機構を配置すると、レンズ鏡筒をより前方の位置に組み込まなくてはならないので、厚み寸法Ｔが増加してしまうが、本発明ではそのようなことはない。
【００４２】
なお、上記実施形態においては、レンズ鏡筒１３と、フイルム巻き取り室２７との間に初期送り駆動伝達ギア４２を組み込むようにしているが、これに限らず
、レンズ鏡筒１３と、パトローネ室２６との間に初期送り駆動伝達ギア４２を組み込み、それに合わせた位置に爪部材５０を設けるようにすれば、上記実施形態と同様の効果を得ることが可能であり、また、これらをアパーチャ２４の上方部ではなく、下方部に組み込むようにしてもよい。
【図面の簡単な説明】
【００４３】
【図１】パトローネ装填室へパトローネを装填するときの状態を示す本発明のカメラの背面側斜視図である。
【図２】カメラの爪部材周辺を水平に切断した要部断面図である。
【図３】カメラの爪部材周辺を垂直に切断した要部断面図である。
【図４】カメラのフイルム給送路と平行な面で切断した切断面である。
【図５】パトローネ装填蓋の構成を示す分解斜視図である。
【図６】フイルム給送機構の構成を示す斜視図である。
【図７】爪部材の取り付け構造を示す分解斜視図である。
【図８】爪部材の取り付け構造を示す要部断面図である。
【図９】爪部材の動作の状態を示す説明図である。
【符号の説明】
【００４４】
１  カメラ
２  パトローネ装填蓋
３  カメラボディ
７  パトローネ
１０  フイルム
１０ａ  パーフォレーション
２２  フイルム給送機構
２６  パトローネ装填室
２７  フイルム巻き取り室
５０  爪部材
５５  当接部
５６  係止爪
【図１】
2005221779.tif 000003
【図２】
2005221779.tif 000004
【図３】
2005221779.tif 000005
【図４】
2005221779.tif 000006
【図５】
2005221779.tif 000007
【図６】
2005221779.tif 000008
【図７】
2005221779.tif 000009
【図８】
2005221779.tif 000010
【図９】
2005221779.tif 000011